(57)【要約】【課題】釣糸の糸がらみを防止して、釣糸を円滑に案内できると共に、バランスのよい小型軽量化した釣糸ガイドを提供すること【解決手段】ガイドリング１２を保持する保持枠１６の側部から下方かつ後方に延びる一対の側支脚２２と、これらの側支脚の先端から後方に延びる後足部２６と、保持枠１６の下側から下方かつ前方に延びる前支脚１８と、この前支脚の先端から前方に延びる前足部２０とを備え、保持枠１６は、釣糸導通孔の中心位置よりも上側で、対向する外側縁部間の幅を頂部に向けて次第に減少させ、側支脚２２は、釣糸導通孔の中心位置よりも下側から延び、対向する内側縁部間に、ガイドリング１２の内径よりも大きくかつ保持枠１６の最大幅の１．１倍以下の最大幅を形成し、対向する外側縁部間に、保持枠１６の最大幅以上でかつ１．３倍以下の最大幅を形成し、先端を互い接近させた湾曲形状を有する後支脚２４を形成し、この後支脚２４の前後方向長さを、後足部２６から保持枠１６の頂部までの高さの５０％以上で１００％以下に形成される釣糸ガイド。【選択図】　　図２
2004089055.tif 000002
【特許請求の範囲】
【請求項１】
前後方向に釣糸導通孔を配向させたガイドリングを保持する保持枠と、この保持枠の側部から下方かつ後方に向けて延びる一対の側支脚と、これらの側支脚の先端から後方に向けて延びる後足部と、前記保持枠の下側から下方かつ前方に延びる前支脚と、この前支脚の先端から前方に向けて延びる前足部とを備える釣糸ガイドであって、
前記保持枠は、前記釣糸導通孔の中心位置よりも上側で、対向する外側縁部間の幅を頂部に向けて次第に減少させて形成され、
前記側支脚は、それぞれが釣糸導通孔の中心位置よりも下側から延び、対向する内側縁部間に、前記ガイドリングの内径よりも大きくかつ保持枠の最大幅の１．１倍以下の最大幅を形成し、対向する外側縁部間に、前記保持枠の最大幅以上でかつ１．３倍以下の最大幅を形成し、先端を互い接近させた湾曲形状を有する後支脚を形成し、
この後支脚は、前後方向に沿う長さを、前記後足部と前足部とを結ぶ基準線から保持枠の頂部までの高さの５０％以上で１００％以下に形成されることを特徴とする釣糸ガイド。
【請求項２】
前記後支脚は、前記基準線に対して２５度以下の立上がり角度を有することを特徴とする請求項１に記載の釣糸ガイド。
【請求項３】
前記基準線から同一高さで前記後支脚および前支脚の外縁部を結ぶ周囲長さが上方に向けて次第に減少することを特徴とする請求項１又は２に記載の釣糸ガイド。
【請求項４】
請求項１から請求項３のいずれか１つに記載の釣糸ガイドが取付けられたことを特徴とする釣竿。
【発明の詳細な説明】
【０００１】
【発明の属する技術分野】
本発明は、釣竿に取付けた魚釣用リールから繰出した釣糸を案内する釣糸ガイドおよびこの釣糸ガイドを備えた釣竿に関する。
【０００２】
【従来の技術】
例えば特開平１１−２２５６２８号公報および特開２０００−２５３７７８に、釣糸を案内するための釣竿用ラインガイドが記載されている。
特開平１１−２２５６２８号公報に記載のラインガイドは、フレームの保持孔にガイドリングを仮止めする突起の高さを低くし、この外周側を筒形に絞り加工することにより、このリング保持部の外径を小さくし、フレームの上側に対する釣糸の当たりや糸がらみを防止する。保持孔の筒形に絞り加工された外周部とガイドリングとの間の隙間に供給された接着剤により、フレームとガイドリングとが強固に固定される。
また、特開２０００−２５３７７８に記載のラインガイドは、金属板から打抜かれ、ガイドリングを保持するリング保持部の真横の位置と反竿体側頂部との間の位置から延びる左右２本の後支脚の間に、竿体側頂部から延びる前支脚を形成したフレームを備える。このラインガイドは、後支脚の前後長を長くかつ緩傾斜させて形成する。これにより、後支脚の後方に当たった釣糸を前方に通過させ易く、糸がらみを防止する。
【０００３】
【発明が解決しようとする課題】
しかし、特開平１１−２２５６２８号公報に記載のラインガイドは、仮止め突起の高さを低くした分だけ外径を小さくすることができるとしても、この外周側を絞り加工するだけであるため、図中左右に大きく張出した支脚に対する糸がらみを防止することはできない。また、突起および接着剤を供給する間隙を形成するために、ラインガイドの全体の重量が増大し、大型化する。
【０００４】
また、特開２０００−２５３７７８に記載のラインガイドは、２本の後支脚がリング保持部の反竿体側頂部に近い位置から、長くかつ緩傾斜で延びるため、後支脚の長さが必要以上に長くなる。このため、ガイドリングのサイズに比して重くなると共に、ガイドリングに入る前の釣糸がこの後支脚に接触し、糸当たりが発生する。
【０００５】
本発明は、このような事情に基づいてなされたもので、釣糸の糸がらみを防止して、釣糸を円滑に案内できると共に、バランスのよい小型軽量化した釣糸ガイドを提供することを目的とする。
【０００６】
【課題を解決するための手段】
上記目的を達成する本発明の釣糸ガイドは、前後方向に釣糸導通孔を配向させたガイドリングを保持する保持枠と、この保持枠の側部から下方かつ後方に向けて延びる一対の側支脚と、これらの側支脚の先端から後方に向けて延びる後足部と、前記保持枠の下側から下方かつ前方に延びる前支脚と、この前支脚の先端から前方に向けて延びる前足部とを備え、前記保持枠は、前記釣糸導通孔の中心位置よりも上側で、対向する外側縁部間の幅を頂部に向けて次第に減少させて形成され、前記側支脚は、それぞれが釣糸導通孔の中心位置よりも下側から延び、対向する内側縁部間に、前記ガイドリングの内径よりも大きくかつ保持枠の最大幅の１．１倍以下の最大幅を形成し、対向する外側縁部間に、前記保持枠の最大幅以上でかつ１．３倍以下の最大幅を形成し、先端を互い接近させた湾曲形状を有する後支脚を形成し、この後支脚は、前後方向に沿う長さを、前記後足部と前足部とを結ぶ基準線から保持枠の頂部までの高さの５０％以上で１００％以下に形成されることを特徴とする。
【０００７】
【発明の実施の形態】
図１から図３は、本発明の好ましい実施形態による釣糸ガイド１０を示す。　この釣糸ガイド１０は、図示しない釣竿に取付けられ、後方の竿尻側に装着し魚釣用リールから繰出した釣糸をこの釣竿に沿って滑らかに案内するものである。なお、本明細書では、説明の便宜上、前とは釣竿の穂先側をいい、後とは竿尻側をいい、下とは竿管側をいい、上とは竿管から離隔する側をいう。しかし、これらの方向は実際の取付方向を規定するものではなく、この釣糸ガイド１０を以下の説明とは逆方向に取付け可能なことは明らかである。
【０００８】
この釣糸ガイド１０は、滑らかな曲面で内面を形成した釣糸導通孔を通して釣糸を案内するガイドリング１２を備え、このガイドリング１２の釣糸導通孔を前後方向に配向させた状態で支持フレーム１４が保持する。このガイドリング１２は、例えばシリコンカーバイト（ＳｉＣ）、アルミナオキサイト、タングステンカーバイト、セラミックあるいは金属等の支持フレーム１４よりも耐磨耗性に優れた硬質材料で形成するのが好ましい。また、支持フレーム１４は、金属製の板材をプレス加工により一体的に形成するのが好ましい。
【０００９】
この支持フレーム１４は、ガイドリング１２の外周部に直接嵌合して固定されあるいは合成樹脂等を介在させて固定される保持枠１６を備える。この保持枠１６は、厚さすなわち竿管の軸方向に沿う寸法をガイドリング１２よりも小さく形成し、釣糸が引っ掛かるのを防止している。これに代え、ガイドリング１２の厚さと同じかあるいはこれよりも僅かに小さく形成することも可能である。この保持枠１６の厚さを厚くする場合には、支持フレーム１４を形成する板材の全体を厚くし、あるいは、絞り加工により保持枠１６のみを厚く形成してもよい。絞り加工により厚くする場合には、板材の全体を薄肉構造に維持することで、軽量化が可能である。いずれの場合も、ガイドリング１６に釣糸が引っ掛かり難くするために、保持枠１６の厚さは、ガイドリング１２の厚さの４０％以上で１００％以下とすることが好ましい。特に、ガイドリング１２の厚さが保持枠１６の３倍以上となると、後述する前後の支脚の形状を工夫しても釣糸が引っ掛かり易くなる。
【００１０】
この保持枠１６の下側から下方かつ前方に向けて前支脚１８が延びる。
この前支脚１８は、上方すなわち保持枠１６に近接する部位で、ガイドリング１２の中心軸ｃに対する傾斜角の大きな急傾斜部を形成し、下方に移行するにつれて傾斜角の小さな緩傾斜部を形成する。図１に示すように、本実施形態の前支脚１８は、ほぼ均等な幅寸法に形成してあるが、特に急傾斜部すなわち保持枠１６との接続部を例えば「Ｙ」字状に形成し、上側の２つの腕部で保持枠１６に接続すると共に、これらの２つの腕部間に空間を形成することも可能である。この場合には、前支脚１８の軽量構造を維持しつつ保持枠１６との接続強度を向上させることができる。なお、保持枠１６との接続部は、このような２本の腕部に限らず３本以上であってもよい。この場合には、複数の空間が形成される。
【００１１】
このように形成された前支脚１８の先端から前足部２０が前方に向けて延びる。この前足部２０は、図１に示すように、中高あるいは半円状の横断面形状を持ち、竿管に当接する下面は、平坦面状あるいは竿管の外周面に沿って僅かに凹設した湾曲面状に形成される。このように、前足部２０の下面を平坦面状あるいは僅かに湾曲した湾曲面として形成することにより、安定した状態で竿管上に載置することができる。
【００１２】
更に、保持枠１６の側部からは、下方かつ後方に向けて一対の側支脚２２が延び、これらの側支脚２２により後支脚２４が形成される。これらの側支脚２２は、釣糸導通孔の中心であるガイドリング１２の中心軸ｃよりも下側の位置、例えば図１の紙面内で上下方向に対して直交しかつガイドリング１２の中心軸ｃを通る横軸ｓに対して４５°以内の位置から延出する。これにより、保持枠１６は、横軸ｓと交差する位置における対向する外側縁部間の最大幅から頂部に向けて縮幅すなわち次第に幅を減少させて形成され、釣糸を容易に上方に抜出すことができる。
【００１３】
一対の側支脚２２は、互いに対称形状を有し、それぞれ保持枠１６の側部との間に折曲げ部２１を形成し、ここから下方かつ後方に向けてねじられながら側方に拡幅した後、縮幅しつつ湾曲し、その先端が互いに接近させて後足部２６に移行する。これにより、一対の側支脚２２は、対向する内側縁部間に、ガイドリング１２の内径よりも大きくかつ保持枠１６の最大幅の１．１倍以下の最大幅を形成し、対向する外側縁部間に、保持枠１６の最大幅以上でかつ１．３倍以下の最大幅を形成し、先端を互い接近させた湾曲形状の後支脚２４を形成する。この外側縁部間に形成する最大幅は、後支脚２４の中間位置の近部又はそれより前部に形成することが好ましい。本実施形態の後支脚２４は、前支脚１８と同様に、保持枠１６に近接する側方に拡幅する部位で急傾斜部を形成し、先端側の下方の縮幅する部位で緩傾斜部を形成する。そして、この後支脚２４の先端は、前足部２０と同様に、平坦面状あるいは竿管の外周面に沿って僅かに凹設した湾曲面状の下面を有する後足部２６に滑らかに移行する。
【００１４】
この後支脚２４は、前後方向に沿う長さすなわち上述の前足部２０と後足部２６とを結ぶ基準線ｒに平行な長さＬ１　を、基準線ｒから保持枠１６の頂部までの高さＨ以下で、この高さＨの４０％よりも長いこと、好ましくは５０％以上に形成するのが好ましい。一方、上述の前支脚１８は、その前後方向長さＬ２　を後支脚２４の長さＬ１　の半分以下とすることが好ましい。そして、後支脚２４の先端側の（１／４）Ｌ１　の範囲では、基準線ｒに対する立上がり角度は、２５°以下の緩傾斜角度に形成することが好ましい。これにより、後支脚２４はガイドリング１２から離隔した位置に配置されることになり、この後支脚２４に対する糸当りを防止することができる。また、この先端部の緩傾斜角度により、釣糸が後支脚２４上を滑って保持枠１６の方向に移動しやすく、これにより、後支脚２４が左右に広がりを持つ湾曲形状を有する場合であっても、釣糸ガイド１０に対する糸がらみが防止できる。特に、側支脚２２間の幅が大きいほど有効である。なお、図３に示す符号２８は、後足部２４に形成された割りを示す。この割り２８は、必ずしも設ける必要はない。
【００１５】
前支脚１８と後支脚２４とをこのように形成することにより、基準線ｒから同一高さの位置で、後支脚２４および前支脚１８の外縁部を結ぶ周囲長さが上方に向けて次第に減少する。これにより、前支脚１８が保持枠１６よりも幅狭に形成されていても、前支脚１８と後支脚２４とが形成する支脚全体の周囲長さが保持枠１６の頂部に向けて次第に減少し、これにより、糸がらみが防止される。
【００１６】
このように形成した釣糸ガイド１０は、前足部２０を釣竿の穂先側に配置し、後足部２６を竿尻側に配置した状態で図示しない竿管上に載置する。これらの前足部２０および後足部２４を例えば糸巻、糸止め、あるいは接着剤等を用いて竿管上に固定することができる。これらの前足部２４および後足部２６は、竿管に直接固定した固定ガイドとして形成することに代え、例えば竿管上を移動自在の筒状部材に固定した遊動ガイドとして形成することもできる。
【００１７】
上述の釣糸ガイド１０によると、ガイドリング１２の径と保持枠１６と前支脚１８と後支脚２４との寸法および形状が最適のバランスに形成され、これにより釣糸ガイド１０の全体の重量増加を防止し、軽量化を図ることができると共に、保持枠１６および後支脚２４に釣糸が当っても糸がらみを防止することができる。また、釣糸をリールから繰出す際、ガイドリング１２で釣糸を案内でき、後支脚２４に対する糸当りを防止することができる。
したがって、上述の実施系体によると、小型軽量で、糸がらみの防止と釣糸案内性に優れたバランスのよい釣糸ガイド１０が形成される。そして、このような釣糸ガイド１０を釣竿に設けることにより、糸がらみが少なくかつ軽量な使い勝手のよい釣竿を形成することができる。
【００１８】
図４から図６は、第２の実施形態による釣竿ガイド１０を示す。この実施形態は、基本的には図１から図３に示す実施形態と同様であるため、同様な部位には同様な符号を付してその詳細な説明を省略する。
【００１９】
この実施形態では、側支脚２２が保持枠１６から延出する部位で、この保持枠１６とこれに隣接する側支脚２２の上縁部とになだらかな凸曲面状または平坦面状の遷移部３０を形成してある。この遷移部３０により、釣糸が引っ掛かりやすい凹部がなくなり、糸ががりが防止される。
【００２０】
また、後支脚２４の最大幅は、折曲げ部２１の近部に形成され、この最大幅の位置から下方かつ後方に向けて縮幅されている。これにより、後支脚２４の外方への膨出を抑制し、糸がかりを防止する。この折曲げ部２１は、保持枠１６の外形に沿う湾曲形状に形成し、保持枠１６を形成しやすくかつその形状を確実かつ安定させて維持できる。
【００２１】
更に、図６に示すように前支脚１８は、前足部２０よりも幅狭に形成してあり、軽量化することができる。これとは逆に、前足部１８を幅広に形成することにより、強度を向上させることも可能である。
【００２２】
以上、種々の実施形態について説明してきたが、本発明は、いずれか１つの実施形態に限定されるものではなく、それぞれ適宜に組合せ可能なことは明らかである。例えば図４に示す遷移部３０を図１から図３に示す釣糸ガイド１０に形成することが可能であり、また、図４から図６に示す釣糸ガイドの前支脚１８と保持枠１６とを複数の腕部を介して接続することも可能である。
【００２３】
【発明の効果】
以上明らかなように、本発明によると、釣糸の糸がらみを防止して、釣糸を円滑に案内できると共に、バランスのよい小型軽量化した釣糸ガイドを提供することができる。
【図面の簡単な説明】
【図１】本発明の好ましい実施形態による釣糸ガイドの正面図。
【図２】図１の釣糸ガイドの側面図。
【図３】図１の釣糸ガイドの平面図。
【図４】他の実施形態による釣糸ガイドの正面図。
【図５】図４の釣糸ガイドの側面図。
【図６】図４の釣糸ガイドの平面図。
【符号の説明】
１０…釣糸ガイド、１２…ガイドリング、１６…保持枠、１８…前支脚、２０…前足部、２２…側支脚、２４…後支脚、２６…後足部、基準線…ｒ。
【図１】
2004089055.tif 000003
【図２】
2004089055.tif 000004
【図３】
2004089055.tif 000005
【図４】
2004089055.tif 000006
【図５】
2004089055.tif 000007
【図６】
2004089055.tif 000008